【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
像担持体と、
前記像担持体を帯電する帯電手段と、
現像剤を帯電された前記像担持体の表面へ付着させる現像手段と、
前記像担持体に付着した前記現像剤を記録媒体に転写する転写手段と、
前記記録媒体に転写されずに前記像担持体の表面に残留した残留現像剤を回収する回収容器と、
前記回収容器に回収された前記残留現像剤を前記回収容器から搬出する搬送手段と、
前記像担持体、前記現像手段、及び前記転写手段のうちの少なくとも１つと、前記搬送手段とを、駆動する駆動手段と、
連続して搬送される複数の記録媒体のうちの第１の記録媒体への画像形成の終了から前記第１の記録媒体に続く第２の記録媒体への画像形成の開始までの期間に、前記回収容器の中の前記残留現像剤の貯留量に応じて前記駆動手段の駆動速度を変更する制御手段と、を備えることを特徴とする画像形成装置。
【請求項２】
前記制御手段が、前記駆動手段を駆動又は停止することを特徴とする請求項１に記載の画像形成装置。
【請求項３】
前記制御手段が、
前記回収容器の中の前記残留現像剤の前記貯留量を取得する取得手段と、
前記回収容器の容量よりも小さい前記残留現像剤の警戒量を算出する算出手段と、
を有し、
前記残留現像剤の前記貯留量が、前記警戒量を超えた場合、
前記制御手段が、前記貯留量が前記警戒量以下に減少するまで、前記駆動手段を駆動させることを特徴とする請求項１又は請求項２に記載の画像形成装置。
【請求項４】
前記算出手段が、前記回収容器の容量と、前記第２の記録媒体への画像形成において回収される前記残留現像剤の回収量と、に基づき、前記警戒量を算出することを特徴とする請求項３に記載の画像形成装置。
【請求項５】
前記算出手段が、前記残留現像剤の前記回収量を、前記第２の記録媒体への画像形成における印字率に基づき、算出することを特徴とする請求項４に記載の画像形成装置。
【請求項６】
前記制御手段が、
前記残留現像剤の前記貯留量を前記警戒量以下に減少させるために必要な前記駆動手段の駆動時間を算出することを特徴とする請求項３から請求項５のいずれか１項に記載の画像形成装置。
【請求項７】
前記制御手段が、前記期間を、前記貯留量が前記警戒量以下に減少するまで延長することを特徴とする請求項３から請求項６のいずれか１項に記載の画像形成装置。
【請求項８】
前記残留現像剤の前記貯留量が前記警戒量を超えた場合であっても、
連続して搬送される前記複数の記録媒体のうち前記第２の記録媒体に続く前記記録媒体が存在せず、かつ、前記第２の記録媒体への画像形成において回収される前記残留現像剤の回収量を前記貯留量に加算しても前記回収容器の容量を超えない場合、
前記制御手段が、前記駆動手段の前記駆動速度を変更しないことを特徴とする請求項３から請求項７のいずれか１項に記載の画像形成装置。
【請求項９】
前記制御手段が、前記現像剤の印字率、前記記録媒体への転写効率、及び前記搬送手段により搬出される前記残留現像剤の量のうち少なくとも１つから、前記貯留量を推定する推定手段を有することを特徴とする請求項１から請求項８のいずれか１項に記載の画像形成装置。
【請求項１０】
前記貯留量を検出する検出手段を備えることを特徴とする請求項１から請求項８のいずれか１項に記載の画像形成装置。
【請求項１１】
前記制御手段が、前記駆動手段の駆動速度を上昇させることを特徴とする請求項１から請求項６のいずれか１項に記載の画像形成装置。
【請求項１２】
像担持体と、
前記像担持体を帯電する帯電手段と、
現像剤を帯電された前記像担持体の表面へ付着させる現像手段と、
前記像担持体に付着した前記現像剤を記録媒体に転写する転写手段と、
前記記録媒体に転写されずに前記像担持体の表面に残留した残留現像剤を回収する回収容器と、
前記回収容器に回収された前記残留現像剤を前記回収容器から搬出する搬送手段と、
前記像担持体、前記帯電手段、前記現像手段、及び前記転写手段のうちの少なくとも１つと、前記搬送手段とを、駆動する駆動手段と、
記録媒体に対する画像形成が実行されていない期間に、前記回収容器の中の前記残留現像剤の貯留量に応じて前記駆動手段の駆動速度を変更する制御手段と、を備えることを特徴とする画像形成装置。
【請求項１３】
前記制御手段は、前記回収容器の中の前記残留現像剤の貯留量に応じて、前記駆動手段を駆動又は停止させることを特徴とする請求項１２に記載の画像形成装置。
【請求項１４】
前記制御手段は、
前記回収容器の中の前記残留現像剤の前記貯留量を取得する取得手段と、
前記回収容器の容量よりも小さい前記残留現像剤の警戒量を算出する算出手段と、を有し、
前記残留現像剤の前記貯留量が、前記警戒量を超えた場合、
前記制御手段が、前記貯留量が前記警戒量以下に減少するまで、前記駆動手段を駆動させることを特徴とする請求項１２又は請求項１３に記載の画像形成装置。
【請求項１５】
前記算出手段は、前記回収容器の容量と、前記記録媒体への画像形成において回収される前記残留現像剤の回収量と、に基づき、前記警戒量を算出することを特徴とする請求項１４に記載の画像形成装置。
【請求項１６】
前記算出手段は、前記残留現像剤の前記回収量を、前記記録媒体への画像形成における印字率に基づき、算出することを特徴とする請求項１５に記載の画像形成装置。
【請求項１７】
前記制御手段は、前記残留現像剤の前記貯留量を前記警戒量以下に減少させるために必要な前記駆動手段の駆動時間を算出することを特徴とする請求項１４から請求項１６のいずれか１項に記載の画像形成装置。
【請求項１８】
前記制御手段は、前記期間を、前記貯留量が前記警戒量以下に減少するまで延長することを特徴とする請求項１４から請求項１７のいずれか１項に記載の画像形成装置。
【請求項１９】
前記残留現像剤の前記貯留量が前記警戒量を超えた場合であっても、
搬送される第１の記録媒体に続いて搬送される第２の記録媒体が存在せず、かつ、前記第１の記録媒体への画像形成において回収される前記残留現像剤の回収量を前記貯留量に加算しても前記回収容器の容量を超えない場合、
前記制御手段は、前記駆動手段の前記駆動速度を変更しないことを特徴とする請求項１４から請求項１８のいずれか１項に記載の画像形成装置。
【請求項２０】
前記制御手段は、前記現像剤の印字率、前記記録媒体への転写効率、及び前記搬送手段により搬出される前記残留現像剤の量のうち少なくとも１つから、前記貯留量を推定する推定手段を有することを特徴とする請求項１２から請求項１９のいずれか１項に記載の画像形成装置。
【請求項２１】
像担持体と、
前記像担持体を帯電する帯電手段と、
現像剤を帯電された前記像担持体の表面へ付着させる現像手段と、
前記像担持体に付着した前記現像剤を中間転写体に一次転写する一次転写手段と、
前記中間転写体に一次転写された前記現像剤を記録媒体に二次転写する二次転写手段と、
前記記録媒体に転写されずに前記像担持体の表面に残留した残留現像剤を回収する回収容器と、
前記回収容器に回収された前記残留現像剤を前記回収容器から搬出する搬送手段と、
前記像担持体、前記帯電手段、前記現像手段、前記一次転写手段、及び前記二次転写手段のうちの少なくとも１つと、前記搬送手段とを、駆動する駆動手段と、
記録媒体に対する画像形成が実行されていない期間に、前記回収容器の中の前記残留現像剤の貯留量に応じて前記駆動手段の駆動速度を変更する制御手段と、を備えることを特徴とする画像形成装置。
【手続補正２】
【補正対象書類名】明細書
【補正対象項目名】０００９
【補正方法】変更
【補正の内容】
【０００９】
（１）像担持体と、前記像担持体を帯電する帯電手段と、現像剤を帯電された前記像担持体の表面へ付着させる現像手段と、前記像担持体に付着した前記現像剤を記録媒体に転写する転写手段と、前記記録媒体に転写されずに前記像担持体の表面に残留した残留現像剤を回収する回収容器と、前記回収容器に回収された前記残留現像剤を前記回収容器から搬出する搬送手段と、前記像担持体、前記現像手段、及び前記転写手段のうちの少なくとも１つと、前記搬送手段とを、駆動する駆動手段と、連続して搬送される複数の記録媒体のうちの第１の記録媒体への画像形成の終了から前記第１の記録媒体に続く第２の記録媒体への画像形成の開始までの期間に、前記回収容器の中の前記残留現像剤の貯留量に応じて前記駆動手段の駆動速度を変更する制御手段と、を備えることを特徴とする画像形成装置。
（２）像担持体と、前記像担持体を帯電する帯電手段と、現像剤を帯電された前記像担持体の表面へ付着させる現像手段と、前記像担持体に付着した前記現像剤を記録媒体に転写する転写手段と、前記記録媒体に転写されずに前記像担持体の表面に残留した残留現像剤を回収する回収容器と、前記回収容器に回収された前記残留現像剤を前記回収容器から搬出する搬送手段と、前記像担持体、前記帯電手段、前記現像手段、及び前記転写手段のうちの少なくとも１つと、前記搬送手段とを、駆動する駆動手段と、記録媒体に対する画像形成が実行されていない期間に、前記回収容器の中の前記残留現像剤の貯留量に応じて前記駆動手段の駆動速度を変更する制御手段と、を備えることを特徴とする画像形成装置。
（３）像担持体と、前記像担持体を帯電する帯電手段と、現像剤を帯電された前記像担持体の表面へ付着させる現像手段と、前記像担持体に付着した前記現像剤を中間転写体に一次転写する一次転写手段と、前記中間転写体に一次転写された前記現像剤を記録媒体に二次転写する二次転写手段と、前記記録媒体に転写されずに前記像担持体の表面に残留した残留現像剤を回収する回収容器と、前記回収容器に回収された前記残留現像剤を前記回収容器から搬出する搬送手段と、前記像担持体、前記帯電手段、前記現像手段、前記一次転写手段、及び前記二次転写手段のうちの少なくとも１つと、前記搬送手段とを、駆動する駆動手段と、記録媒体に対する画像形成が実行されていない期間に、前記回収容器の中の前記残留現像剤の貯留量に応じて前記駆動手段の駆動速度を変更する制御手段と、を備えることを特徴とする画像形成装置。